(57)【要約】【課題】複数の電源レールを簡易な方法で連結する。【解決手段】基材１１０は、絶縁性の基板である。溝１２０は、溝１２０の延伸方向で基材１１０を貫いている。導電部材１３０は、溝１２０の延伸方向に溝１２０に埋め込まれている。一の電源レール１００において導電部材１３０は、一部が溝１２０の一端から突出している。そして一の電源レール１００の導電部材１３０のこの一部を他の電源レール１００の溝１２０の一端に差し込む。これにより、一の電源レール１００と他の電源レール１００は連結する。【選択図】図９
2016081843.tif 000002
【特許請求の範囲】
【請求項１】
電源レールと、
前記電源レールに取り付けられた発光モジュールと、
を備え、
前記電源レールは、
絶縁性の基材と、
前記基材に形成され、第１方向に延伸し、かつ前記第１方向で前記基材に形成された溝と、
前記第１方向に前記溝に埋め込まれ、前記発光モジュールの端子に電気的に接続する導電部材と、
を備え、
前記導電部材は、一部が前記溝の一端の外側に突出することができ、
前記導電部材の一部が前記溝の一端の外側に突出している場合において、前記溝の他端に他の前記電源レールの前記導電部材が差し込み可能となる発光装置。
【請求項２】
請求項１に記載の発光装置において、
前記第１方向において前記導電部材は前記溝から飛び出した状態で固定される発光装置。
【請求項３】
請求項２に記載の発光装置において、
前記電源レールは、
前記導電部材である第１導電部材と、
前記溝に埋め込まれ、前記第１方向で見た場合前記第１導電部材とは異なる場所に配置された第２導電部材と、
を備える発光装置。
【請求項４】
請求項３に記載の発光装置において、
前記発光モジュールは、
前記第１導電部材と前記第２導電部材を跨って配置されており、
前記第１導電部材に接続する前記端子である第１端子と、
前記第２導電部材に接続する第２端子と、
前記第１端子と前記第２端子を接続する配線と、
を備える発光装置。
【請求項５】
請求項１又は２に記載の発光装置において、
第１の前記電源レールと、
第２の前記電源レールと、
を備え、
前記第１の電源レールの前記導電部材が前記第２の電源レールの前記溝に差し込まれている発光装置。
【請求項６】
請求項５に記載の発光装置において、
前記発光モジュールは、
前記第１の電源レールの前記導電部材と前記第２の電源レールの前記導電部材を跨って配置されており、
前記第１の電源レールの前記導電部材と接続する第１の前記端子と、
前記第２の電源レールの前記導電部材と接続する第２の前記端子と、
前記第１の端子と前記第２の端子を接続する配線と、
を備える発光装置。
【請求項７】
請求項１又は２に記載の発光装置において、
前記電源レールは、
第１の前記導電部材と、
前記第１方向から見た場合、前記第１の導電部材に隣り合う第２の前記導電部材と、
前記第１方向から見た場合、前記第２の導電部材を介して前記第１の導電部材とは反対側に位置し、かつ前記第２の導電部材に隣り合う第３の前記導電部材と、
を備え、
前記第１方向から見た場合、前記第１の導電部材と前記第２の導電部材の間隔と前記第３の導電部材と前記第２の導電部材の間隔は、互いに異なる発光装置。
【請求項８】
請求項１〜７のいずれか一項に記載の発光装置において、
前記発光モジュールの前記端子は、磁石を有しており、
前記導電部材は、磁性材料を用いて形成されている発光装置。
【請求項９】
電源レールであって、
絶縁性の基材と、
前記基材に形成され、第１方向に延伸し、かつ前記第１方向で前記基材に形成された溝と、
前記第１方向に前記溝に埋め込まれた導電部材と、
を備え、
前記導電部材は、一部が前記溝の一端の外側に突出することができ、
前記導電部材の一部が前記溝の一端の外側に突出している場合において、前記溝の他端に他の前記電源レールの前記導電部材が差し込み可能となる電源レール。
【発明の詳細な説明】
【技術分野】
【０００１】
本発明は、発光装置及び電源レールに関する。
【背景技術】
【０００２】
現在、有機ＥＬ（Ｏｒｇａｎｉｃ  Ｅｌｅｃｔｒｏ−Ｌｕｍｉｎｅｓｃｅｎｃｅ）素子又はＬＥＤ（Ｌｅｉｇｈｔ  Ｅｍｉｔｔｉｎｇ  Ｄｉｏｄｅ）といった発光素子を用いた発光モジュールが開発されている。さらに、このような発光モジュールに電力を供給するための電源レールが開発されている。
【０００３】
特許文献１には、複数の電源レールを連結する方法の一例が記載されている。特許文献１では、電源レールから取り外し可能な連結部材を用いて、一の電源レールと他の電源レールを連結している。具体的には、この連結部材は、一の電源レールと他の電源レールを跨いで設けられる。これにより、一の電源レールと他の電源レールは、連結部材を介して連結する。
【０００４】
特許文献２にも、複数の電源レールを連結する方法の一例が記載されている。特許文献２では、発光モジュールが一の電源レールと他の電源レールを跨いで設けられている。これにより、一の電源レールと他の電源レールは、発光モジュールを介して連結する。
【先行技術文献】
【特許文献】
【０００５】
【特許文献１】特開２００５−１９２９９号公報
【特許文献２】特開２００７−３１７５７５号公報
【発明の概要】
【発明が解決しようとする課題】
【０００６】
上記したように、複数の電源レールを連結することがある。本発明者は、複数の電源レールを簡易な方法で連結すること検討した。
【０００７】
本発明が解決しようとする課題としては、複数の電源レールを簡易な方法で連結することが一例として挙げられる。
【課題を解決するための手段】
【０００８】
請求項１に記載の発明は、
電源レールと、
前記電源レールに取り付けられた発光モジュールと、
を備え、
前記電源レールは、
絶縁性の基材と、
前記基材に形成され、第１方向に延伸し、かつ前記第１方向で前記基材に形成された溝と、
前記第１方向に前記溝に埋め込まれ、前記発光モジュールの端子に電気的に接続する導電部材と、
を備え、
前記導電部材は、一部が前記溝の一端の外側に突出することができ、
前記導電部材の一部が前記溝の一端の外側に突出している場合において、前記溝の他端に他の前記電源レールの前記導電部材が差し込み可能となる発光装置である。
【０００９】
請求項９に記載の発明は、
電源レールであって、
絶縁性の基材と、
前記基材に形成され、第１方向に延伸し、かつ前記第１方向で前記基材に形成された溝と、
前記第１方向に前記溝に埋め込まれた導電部材と、
を備え、
前記導電部材は、一部が前記溝の一端の外側に突出することができ、
前記導電部材の一部が前記溝の一端の外側に突出している場合において、前記溝の他端に他の前記電源レールの前記導電部材が差し込み可能となる電源レールである。
【図面の簡単な説明】
【００１０】
【図１】実施形態に係る電源レールの構成を示す斜視図である。
【図２】実施形態に係る発光モジュールの発光面の構成を示す斜視図である。
【図３】実施形態に係る発光モジュールの裏面の構成を示す斜視図である。
【図４】図２及び図３に示した発光モジュールの構成の一例の詳細を説明するための分解斜視図である。
【図５】図２及び図３に示した発光モジュールの構成の一例の詳細を説明するための分解斜視図である。
【図６】図４及び図５に示した基板の凹部及びカバー部材の凸部の関係を示す断面図である。
【図７】図４及び図５に示した基板の凹部及び有機ＥＬパネルの駆動回路の関係を示す断面図である。
【図８】図４及び図５に示した入力端子（出力端子）の断面の構成を示す図である。
【図９】複数の電源レールを連結する方法を示す図である。
【図１０】複数の電源レールを電気的に接続する方法を示す図である。
【図１１】電源レールに発光モジュールを取り付ける方法の詳細を示す断面図である。
【図１２】実施形態に係る発光装置の構成を示す図である。
【図１３】実施例１に係る電源レールの構成を示す斜視図である。
【図１４】図１３に示した溝の構成の詳細を示す断面図である。
【図１５】複数の電源レールを連結する方法を示す図である。
【図１６】複数の電源レールを連結する方法を示す図である。
【図１７】実施例２に係る電源レールの構成を示す斜視図である。
【図１８】複数の電源レールを連結する方法を示す図である。
【図１９】複数の電源レールを連結する方法を示す図である。
【図２０】導電部材と固定導電部材を電気的に接続する方法を示す図である。
【図２１】実施例３に係る電源レールの構成を示す斜視図である。
【図２２】電源レールに発光モジュールを取り付ける方法を示す図である。
【図２３】実施例４に係る電源レールの構成を示す斜視図である。
【図２４】実施例４に係る発光モジュールの裏面の構成を示す斜視図である。
【図２５】実施例５に係る電源レールの構成を示す斜視図である。
【図２６】実施例５に係る発光モジュールの裏面の構成を示す斜視図である。
【図２７】実施例６に係る電源レールの構成を示す斜視図である。
【図２８】複数の電源レールを連結する方法を示す図である。
【図２９】実施例７に係る電源レール群の構成を示す平面図である。
【図３０】導電部材を溝に固定する方法を説明するための図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
図１は、実施形態に係る電源レール１００の構成を示す斜視図である。本図に示すように、電源レール１００は、基材１１０、複数の溝１２０、及び複数の導電部材１３０を備えている。
【００１３】
本図に示す例において、基材１１０は、長尺状基板である。基材１１０は、絶縁性の基板であり、例えば樹脂を用いて形成されている。これにより、基材１１０に電流が流れることはない。
【００１４】
基材１１０は、発光モジュール２００（図２及び図３用いて後述）が取り付けられる面に、複数の溝１２０を備えている。複数の溝１２０は、互いに平行に基材１１０の延伸方向に延伸している。各溝１２０は、基材１１０の延伸方向で基材１１０を貫いている。本図に示す例では、電源電圧供給用の溝１２０、接地電位供給用の溝１２０、及び信号供給用の溝１２０がこの順で並んでいる。
【００１５】
複数の溝１２０それぞれには、導電部材１３０が埋め込まれている。各導電部材１３０は、長尺状の導電部材（例えば、鉄板）である。本図に示す例では、電源電圧供給用の導電部材１３０、接地電位供給用の導電部材１３０、及び信号供給用の導電部材１３０がこの順で並んでいる。電源レール１００は、導電部材１３０が溝１２０から飛び出した状態で固定されている構造である。
【００１６】
図２は、本実施形態に係る発光モジュール２００の発光面２１２の構成を示す斜視図である。本図に示すように、発光モジュール２００は、基材２１０及び複数の発光部２２０を備えている。詳細には、発光モジュール２００は、発光面２１２に複数の発光部２２０を備えている。そして各発光部２２０は、例えば、有機ＥＬパネル又はＬＥＤパネルを用いて形成されている。なお、発光面２１２に取り付けられる発光部２２０の数は１つのみであってもよい。
【００１７】
基材２１０は、絶縁性の部材であり、例えば樹脂を用いて形成されている。本図に示す例において、基材２１０は、平面形状が長方形の基板である。そして基材２１０は、発光面２１２に複数の発光部２２０を備えている。本図に示す例において、各発光部２２０は面光源である。各発光部２２０の平面形状は、互いに対向する２辺が基材２１０の長辺と平行となる向きで配置された正方形である。そして複数の発光部２２０は、基材２１０の長辺に沿って等間隔に配置されている。
【００１８】
図３は、本実施形態に係る発光モジュール２００の裏面２１４の構成を示す斜視図である。本図に示すように、発光モジュール２００は、発光面２１２とは逆側の面（裏面２１４）に、複数の入力端子２３０及び複数の出力端子２４０を備えている。さらに、発光モジュール２００は、複数の配線２５０を基材２１０の内側に備えている。
【００１９】
複数の入力端子２３０及び複数の出力端子２４０は、基材２１０の幅方向から見た場合、互いに逆側に位置している。そして各入力端子２３０と各出力端子２４０は、配線２５０を介して互いに電気的に接続している。これにより、図１０を用いて後述するように、互いに離間している導電部材１３０は、発光モジュール２００を介して電気的に接続することができる。
【００２０】
図４及び図５の各図は、図２及び図３に示した発光モジュール２００の構成の一例の詳細を説明するための分解斜視図である。図４は、発光モジュール２００の発光面２１２側から見た図に対応する。図５は、発光モジュール２００の裏面２１４側から見た図に対応する。図４及び図５に示すように、発光モジュール２００は、基板２６０（基材２１０の一部）、カバー部材２７０（基材２１０の一部）、及び複数の有機ＥＬパネル２８０（発光部２２０）を備えている。
【００２１】
図４及び図５に示すように、複数の有機ＥＬパネル２８０は、一列に配置されている。そして図５に示すように、各有機ＥＬパネル２８０は、発光面２１２とは逆側の面（裏面）に、複数の端子２８２及び駆動回路２８４を備えている。本図に示す例では、各有機ＥＬパネル２８０において、電源電圧用の端子２８２、接地電位用の端子２８２、及び信号用の端子２８２がこの順で並んでいる。そして駆動回路２８４は、与えられる電圧により有機ＥＬパネル２８０を信号に応じた明るさで発光させるように動作している。有機ＥＬパネル２８０は、この電流により駆動される。
【００２２】
図５に示すように、有機ＥＬパネル２８０の裏面では、配線２５２が互いに隣り合う有機ＥＬパネル２８０を跨って配置されている。配線２５２は、配線２５０（図３）の一部であり、互いに隣り合う有機ＥＬパネル２８０それぞれの端子２８２に電気的に接続している。本図に示す例において、各配線２５２は、長尺状の導電部材であり、ある程度の剛性を有している。この場合、互いに隣り合う有機ＥＬパネル２８０の位置を配線２５２によって固定することができる。
【００２３】
図４及び図５に示すように、有機ＥＬパネル２８０の配列の両端に位置する有機ＥＬパネル２８０それぞれには、配線２５４が取り付けられている。配線２５４は、配線２５０（図３）の一部である。そして上記した配列の一端に位置する配線２５４は、上記した配列の一端に位置する有機ＥＬパネル２８０の端子２８２を入力端子２３０に接続している。これに対して上記した配列の他端に位置する配線２５４は、上記した配列の他端に位置する有機ＥＬパネル２８０の端子２８２を出力端子２４０に接続している。
【００２４】
なお、図４及び図５に示す例において、各配線２５４は、可撓性を有するケーブルである。この場合、例えば有機ＥＬパネル２８０を基板２６０に搭載する場合に配線２５４の両端に接続する端子間（例えば、出力端子２４０と端子２８２の間）の距離を短くすると、配線２５４が弛むことになる。これにより、配線２５４の両端に接続する端子間の距離を配線２５４の全長よりも短いものにすることができる。
【００２５】
図４に示すように、基板２６０は、複数の有機ＥＬパネル２８０と対向する面に、複数の凹部２６２及び複数の溝２６４を備えている。複数の凹部２６２は、複数の有機ＥＬパネル２８０に対応して設けられている。凹部２６２には、有機ＥＬパネル２８０が基板２６０に搭載される場合に、駆動回路２８４（図５）が収納される。各溝２６４は、互いに隣り合う凹部２６２を繋いでいる。溝２６４には、有機ＥＬパネル２８０が基板２６０に搭載される場合に配線２５２（図５）が収納される。
【００２６】
図５に示すように、基板２６０は、各側面に凹部２６６を備えている。図６を用いて後述するように、凹部２６６は、カバー部材２７０を基板２６０に取り付けるために用いられる。本図に示す例では、基板２６０の長辺に沿って複数の凹部２６６が設けられている。これら複数の凹部２６６は、複数の有機ＥＬパネル２８０に対応して設けられている。さらに、本図に示す例では、基板２６０の短辺に沿って複数の凹部２６６が設けられている。
【００２７】
図５に示すように、カバー部材２７０は、基板２６０及び複数の有機ＥＬパネル２８０を覆う凹部２７２を備えている。そしてカバー部材２７０は、凹部２７２の底面に複数の穴２７４を備えている。これら複数の穴２７４は、複数の有機ＥＬパネル２８０に対応して設けられている。これにより、穴２７４を介して有機ＥＬパネル２８０からの光が出射される。さらに、カバー部材２７０は、凹部２７２の内側面に複数の凸部２７６を備えている。これら複数の凸部２７６は、基板２６０の複数の凹部２６６に対応して設けられている。図６を用いて後述するように、凸部２７６は、カバー部材２７０を基板２６０に取り付けるために用いられる。
【００２８】
図６は、図４及び図５に示した基板２６０の凹部２６６及びカバー部材２７０の凸部２７６の関係を示す断面図である。本図に示すように、凸部２７６は、凹部２６６にはめ込まれる。このようにして、カバー部材２７０は、基板２６０に取り付けられる。詳細には、本図に示す例において、基板２６０の側面に形成された凹部（凹部２６６）は、内側面の一部が基板２６０の底面を貫いている。さらに、本図に示す例において、凸部２７６は、凸部２７６の先端に向かうほど幅が狭くなる爪部材である。
【００２９】
図７は、図４及び図５に示した基板２６０の凹部２６２及び有機ＥＬパネル２８０の駆動回路２８４の関係を示す断面図である。本図に示すように、駆動回路２８４は、有機ＥＬパネル２８０が基板２６０に搭載される場合、凹部２６２に収納される。そしてこの場合、駆動回路２８４は、間隙を介して凹部２６２の底面に対向している。これにより、駆動回路２８４で熱が発生したとしても、駆動回路２８４から凹部２６２の底面までの間の間隙にこの熱を逃がすことができる。
【００３０】
図８は、図４及び図５に示した入力端子２３０（出力端子２４０）の断面の構成を示す図である。本図に示すように、入力端子２３０（出力端子２４０）は、基板２６０を貫通している。さらに、入力端子２３０（出力端子２４０）は、裏面２１４から外側に突出している。これにより、詳細を後述するように、入力端子２３０（出力端子２４０）を電源レール１００の導電部材１３０（図１）に接触させることができる。なお、入力端子２３０（出力端子２４０）は、例えばエポキシ樹脂により、基板２６０に固定することができる。
【００３１】
図９は、複数の電源レール１００を連結する方法を示す図である。まず、一の電源レール１００の溝１２０と他の電源レール１００の溝１２０を一直線上に並べる。この場合、一の電源レール１００と他の電源レール１００は、取付面（例えば、鉛直方向と直交する方向を向いている面又は鉛直方向において下を向いている面）に取り付けられる。本図に示す例では、各電源レール１００において、導電部材１３０は溝１２０から飛び出した状態で固定される。本例では、導電部材１３０は溝１２０よりも短い例を記載しているが、同じ長さであっても良い。これにより、本図に示すように、各電源レール１００の溝１２０の端部には、空隙（導電部材１３０が存在しない領域）を形成することができる。後述するように、この空隙には、他の電源レール１００の導電部材１３０が差し込むことができる。
【００３２】
次いで、本図に示すように、一の電源レール１００の導電部材１３０を他の電源レール１００の溝１２０の一端に差し込む。これにより、一の電源レール１００と他の電源レール１００が連結する。なお、導電部材１３０は、ある程度の剛性を有する材料（例えば、鉄）によって形成されていることが好ましい。これにより、一の電源レール１００と他の電源レール１００は、導電部材１３０を介して安定して連結することができる。
【００３３】
本図に示す例によれば、一の電源レール１００の導電部材１３０を他の電源レール１００の溝１２０に差し込むことで、一の電源レール１００の溝１２０と他の電源レール１００の溝１２０が一直線上で並ぶことになる。これにより、一の電源レール１００と他の電源レール１００のアライメントが容易となる。
【００３４】
なお、溝１２０の長さ及び導電部材１３０の長さの関係は、本図に示す例（導電部材１３０が溝１２０よりも短い）に限定されるものではない。例えば、溝１２０の長さと導電部材１３０の長さは等しくてもよいし、導電部材１３０は溝１２０よりも長くてもよい。いずれの場合においても、溝１２０の端部に空隙（導電部材１３０が存在しない領域）を形成することによって、一の電源レール１００と他の電源レール１００を連結することができる。
【００３５】
図１０は、複数の電源レール１００を電気的に接続する方法を示す図である。本図に示す例では、一の電源レール１００と他の電源レール１００は、図９に示したように連結している。そして発光モジュール２００は、一の電源レール１００の導電部材１３０と他の電源レール１００の導電部材１３０を跨っている。さらに、発光モジュール２００の入力端子２３０は、一の電源レール１００の導電部材１３０に接続している。さらに、発光モジュール２００の出力端子２４０は、他の電源レール１００の導電部材１３０に接続している。さらに、入力端子２３０及び出力端子２４０は、配線２５０を介して接続している。これにより、一の電源レール１００と他の電源レール１００は、発光モジュール２００を介して電気的に接続することができる。
【００３６】
図１１は、電源レール１００に発光モジュール２００を取り付ける方法の詳細を示す断面図である。本図は、電源レール１００の延伸方向に垂直な断面図である。なお、本図では説明のため、一部の構成（例えば、発光部２２０（図２））を図示していない。本図に示すように、各溝１２０は、互いに対向する内側面それぞれに凸部１２２を備えている。そして各溝１２０においてこれらの凸部１２２は、幅ｗ２の間隙を介して互いに対向している。一方、各入力端子２３０及び各出力端子２４０は、幅ｗ１の端子である。そして幅ｗ１及び幅ｗ２は、ｗ１＜ｗ２を満たしている。これにより、発光モジュール２００の各入力端子２３０及び各出力端子２４０を上記した間隙に差し込むことができる。
【００３７】
さらに、各入力端子２３０及び各出力端子２４０は、発光モジュール２００の裏面２１４から距離ａだけ突出している。一方、電源レール１００では、溝１２０の上端から導電部材１３０の表面までの距離がｂである。そして距離ａと距離ｂは、ａ＞ｂを満たしている。これにより、発光モジュール２００の各入力端子２３０及び各出力端子２４０を電源レール１００の各導電部材１３０に確実に接触させることができる。
【００３８】
本図に示す例において、発光モジュール２００は、入力端子２３０及び出力端子２４０それぞれが磁石（例えば、ネオジム磁石）である。一方、一の電源レール１００及び他の電源レール１００それぞれは、導電部材１３０が磁性材料（例えば、鉄）を用いて形成されている。これにより、磁力によって、入力端子２３０及び出力端子２４０は、導電部材１３０に固定される。
【００３９】
図１２は、本実施形態に係る発光装置１０の構成を示す図である。本図に示すように、発光装置１０は、複数の電源レール１００及び複数の発光モジュール２００を備えている。複数の電源レール１００は、図９に示したように、連結している。複数の発光モジュール２００は、連結した電源レール１００に沿って隙間なく配置されている。この場合、本図に示す例では、複数の発光部２２０は、連結した電源レール１００に沿って等間隔に配置されている。そして一の電源レール１００の導電部材１３０と他の電源レール１００の導電部材１３０を跨っている発光モジュール２００は、一の電源レール１００の導電部材１３０と他の電源レール１００の導電部材１３０を図１０に示したように電気的に接続している。
【００４０】
各電源レール１００の全長は、発光モジュール２００の長辺の整数倍（本図に示す例では３倍）の長さである。これにより、複数の発光モジュール２００は、電源レール１００の両端からはみ出すことなく、電源レール１００の延伸方向に沿って敷き詰められることができる。なお、本図に示す例では、各発光モジュール２００の短辺は、各電源レール１００の幅とほぼ等しいものとなっている。
【００４１】
以上、本実施形態によれば、一の電源レール１００の導電部材１３０を他の電源レール１００の溝１２０に差し込むことができる。これにより、一の電源レール１００と他の電源レール１００を簡易に連結することができる。さらに、一の電源レール１００の導電部材１３０を他の電源レール１００の溝１２０に差し込むことで、一の電源レール１００の溝１２０と他の電源レール１００の溝１２０が一直線上で並ぶことになる。これにより、一の電源レール１００と他の電源レール１００のアライメントが容易となる。
【実施例】
【００４２】
（実施例１）
図１３は、実施例１に係る電源レール１００の構成を示す斜視図であり、実施形態の図１に対応する。本実施例に係る電源レール１００は、導電部材１３０が溝１２０の延伸方向に沿って移動可能である点を除いて、実施形態に係る電源レール１００と同様の構成である。
【００４３】
図１４は、図１３に示した溝１２０の構成の詳細を示す断面図である。本図は、図１３に示した電源レール１００の延伸方向に垂直な断面図である。
【００４４】
本図に示すように、溝１２０は、互いに対向する内側面それぞれに凸部１２２を備えている。そして溝１２０の底面から凸部１２２までの間の間隙には、導電部材１３０の一部が入り込んでいる。さらに、互いに対向する凸部１２２の間の開口の幅は、導電部材１３０の幅よりも狭いものとなっている。これにより、溝１２０の深さ方向に沿って導電部材１３０が溝１２０から抜けることが防止される。
【００４５】
さらに、凸部１２２が形成されている位置よりも低い位置において、導電部材１３０の幅は、溝１２０の幅よりも若干狭いものとなっている。さらに、導電部材１３０の厚さは、溝１２０の底面から凸部１２２までの間の間隙の高さよりも若干薄いものとなっている。このため、導電部材１３０は、溝１２０に完全には固定されておらず、溝１２０の延伸方向に沿って移動可能になっている。
【００４６】
図１５及び図１６の各図は、複数の電源レール１００を連結する方法を示す図である。まず、図１５に示すように、一の電源レール１００の溝１２０と他の電源レール１００の溝１２０を一直線上に並べる。この場合、一の電源レール１００と他の電源レール１００は、取付面（例えば、鉛直方向と直交する方向を向いている面又は鉛直方向において下を向いている面）に取り付けられる。
【００４７】
次いで、図１６に示すように、一の電源レール１００の導電部材１３０を溝１２０の延伸方向に沿って移動させる。これにより、一の電源レール１００の導電部材１３０が他の電源レール１００の溝１２０の一端に差し込まれる。このようにして、一の電源レール１００と他の電源レール１００が連結する。
【００４８】
本実施例においても、一の電源レール１００と他の電源レール１００を簡易に連結することができる。
【００４９】
（実施例２）
図１７は、実施例２に係る電源レール１００の構成を示す斜視図であり、実施例１の図１３に対応する。本実施例に係る電源レール１００は、以下の点を除いて、実施例１に係る電源レール１００と同様の構成である。
【００５０】
本図に示すように、電源レール１００は、導電部材１３０及び固定導電部材１４０を各溝１２０に備えている。導電部材１３０は、電源レール１００に沿って移動可能に電源レール１００の基材１１０に取り付けられている。これにより、図１８及び図１９を用いて後述するように、一の電源レール１００の導電部材１３０を他の電源レール１００の溝１２０に差し込むことができる。これに対して、固定導電部材１４０は、電源レール１００の基材１１０に固定されている。ただし、固定導電部材１４０は、電源レール１００に沿って移動可能に電源レール１００の基材１１０に取り付けられていてもよい。なお、本図に示す例では、導電部材１３０は、固定導電部材１４０よりも短い。
【００５１】
固定導電部材１４０を介して導電部材１３０の反対側において、固定導電部材１４０の一端は、溝１２０の一端よりも基材１１０の内側に位置している。言い換えると、溝１２０は、固定導電部材１４０の上記した一端から溝１２０の上記した一端にかけて空隙を備えている。これにより、図１８及び図１９を用いて後述するように、他の電源レール１００の導電部材１３０を上記した空隙に差し込むことができる。
【００５２】
図１８及び図１９の各図は、複数の電源レール１００を連結する方法を示す図である。まず、図１８に示すように、一の電源レール１００の溝１２０と他の電源レール１００の溝１２０を一直線上に並べる。
【００５３】
次いで、図１９に示すように、一の電源レール１００の導電部材１３０を他の電源レール１００の溝１２０の一端に差し込む。これにより、一の電源レール１００と他の電源レール１００が連結する。
【００５４】
図２０は、導電部材１３０と固定導電部材１４０を電気的に接続する方法を示す図である。なお、本図では、説明のため、一部の構成（例えば、発光部２２０（図２））を図示していない。本図に示すように、発光モジュール２００は、導電部材１３０と固定導電部材１４０を跨っている。さらに、発光モジュール２００の入力端子２３０は、導電部材１３０に接続している。さらに、発光モジュール２００の出力端子２４０は、固定導電部材１４０に接続している。さらに、入力端子２３０及び出力端子２４０は、配線２５０を介して接続している。これにより、導電部材１３０と固定導電部材１４０は、発光モジュール２００を介して電気的に接続することができる。
【００５５】
本実施例によれば、一の電源レール１００と他の電源レール１００を連結する場合に移動させる導電部材１３０の長さを短いものにすることができる。これにより、導電部材１３０を移動させることが容易になる。
【００５６】
（実施例３）
図２１は、実施例３に係る電源レール１００の構成を示す斜視図であり、実施形態の図１に対応する。本実施例に係る電源レール１００は、以下の点を除いて、実施形態に係る電源レール１００と同様の構成である。
【００５７】
本図に示すように、電源レール１００は、溝１２０が形成された面を覆うカバー部材１５０を備えている。そしてカバー部材１５０には、導電部材１３０の一部を露出する穴１５２が複数形成されている。本図に示す例では、電源レール１００の幅方向から見た場合に互いに異なる場所に位置する領域それぞれにおいて、複数の穴１５２が１つのグループを形成している。そして各グループにおいて、複数の穴１５２は、電源レール１００の幅方向に沿って一直線上に並んでいる。
【００５８】
図２２は、電源レール１００に発光モジュール２００を取り付ける方法を示す図である。なお、本図では、説明のため、一部の構成（例えば、発光部２２０（図２））を図示していない。本図に示す例では、図２及び図３に示した発光モジュール２００が電源レール１００に取り付けられている。本図に示すように、発光モジュール２００を電源レール１００に取り付ける場合、発光モジュール２００の入力端子２３０及び出力端子２４０それぞれは、穴１５２を介して導電部材１３０に接続する。これにより、穴１５２の配置によって発光モジュール２００の配置を制御することができる。
【００５９】
本実施例によれば、穴１５２が形成されている部分を除いて、導電部材１３０をカバー部材１５０によって保護することができる。さらに、穴１５２の配置によって発光モジュール２００の配置を制御することができる。
【００６０】
（実施例４）
図２３は、実施例４に係る電源レール１００の構成を示す斜視図であり、実施例３の図２１に対応する。本実施例に係る電源レール１００は、以下の点を除いて、実施例３に係る電源レール１００と同様の構成である。
【００６１】
本図に示すように、電源レール１００の幅方向から見た場合に互いに異なる場所に位置する領域それぞれでは、複数の穴１５２が１つのグループを形成している。そして各グループでは、電源レール１００の延伸方向から見た場合、電源電圧供給用の穴１５２、接地電位供給用の穴１５２、及び信号供給用の穴１５２がこの順で並んでいる。そして電源レール１００の幅方向から見た場合、電源電圧供給用の穴１５２と接地電位供給用の穴１５２の間隔と信号供給用の穴１５２と接地電位供給用の穴１５２の間隔は、互いに異なっている。
【００６２】
本図に示す例によれば、電源レール１００の幅方向において電源レール１００の向きを本来の向きと逆にすると、各グループの穴１５２の配置が本来の配置とは異なって見える。このため、電源レール１００の向きが誤った向きになることが防止される。
【００６３】
図２４は、本実施例に係る発光モジュール２００の裏面２１４の構成を示す斜視図であり、実施形態の図３に対応する。本実施例に係る発光モジュール２００は、以下の点を除いて、実施形態に係る発光モジュール２００と同様の構成である。
【００６４】
本図に示す発光モジュール２００は、図２３に示した電源レール１００に取り付けられる。具体的には、本図に示すように、複数の入力端子２３０の配置及び複数の出力端子２４０の配置それぞれは、図２３に示した複数の穴１５２の配置に対応している。これにより、入力端子２３０及び出力端子２４０それぞれは、穴１５２を介して導電部材１３０に接続することができる。
【００６５】
本実施例によれば、発光モジュール２００を電源レール１００に取り付けるとき、発光モジュール２００の向きが電源レール１００の幅方向において本来の向きとは逆になっていると、複数の入力端子２３０のうちの一部の入力端子２３０及び複数の出力端子２４０のうちの一部の出力端子２４０が穴１５２を通過することができない。これにより、入力端子２３０及び出力端子２４０が不適当な導電部材１３０に接触すること（例えば、信号用の入力端子２３０及び信号用の出力端子２４０が電源電圧供給用の導電部材１３０に接触すること）が抑制される。
【００６６】
（実施例５）
図２５は、実施例５に係る電源レール１００の構成を示す斜視図であり、実施例１の図１３に対応する。本実施例に係る電源レール１００は、以下の点を除いて、実施例１に係る電源レール１００と同様の構成である。
【００６７】
本図に示す例では、電源電圧供給用の導電部材１３０、接地電位供給用の導電部材１３０、及び信号供給用の導電部材１３０がこの順で並んでいる。そして電源レール１００の延伸方向から見た場合、電源電圧供給用の導電部材１３０と接地電位供給用の導電部材１３０の間隔ｇ１と信号供給用の導電部材１３０と接地電位供給用の導電部材１３０の間隔ｇ２は、互いに異なっている。間隔ｇ１は、間隔ｇ２よりも広くてもよいし（ｇ１＞ｇ２）、間隔ｇ２よりも狭くてもよい（ｇ１＜ｇ２）。本図に示す例では、間隔ｇ１は、間隔ｇ２よりも狭い。
【００６８】
本図に示す例によれば、電源レール１００の幅方向において発光モジュール２００を電源レール１００に取り付けるとき、複数の入力端子２３０と複数の出力端子２４０の間隔が異なることにより、間違った向きに実装することを防ぐことができる。
【００６９】
図２６は、本実施例に係る発光モジュール２００の裏面２１４の構成を示す斜視図であり、実施形態の図３に対応する。本実施例に係る発光モジュール２００は、以下の点を除いて、実施形態に係る発光モジュール２００と同様の構成である。
【００７０】
本図に示す発光モジュール２００は、図２５に示した電源レール１００に取り付けられる。具体的には、本図に示すように、複数の入力端子２３０の配置及び複数の出力端子２４０の配置それぞれは、図２５に示した複数の導電部材１３０の配置に対応している。これにより、入力端子２３０及び出力端子２４０それぞれは、導電部材１３０に接続することができる。
【００７１】
本実施例によれば、発光モジュール２００を電源レール１００に取り付けるとき、発光モジュール２００の向きが電源レール１００の幅方向において本来の向きとは逆になっていると、複数の入力端子２３０のうちの一部の入力端子２３０及び複数の出力端子２４０のうちの一部の出力端子２４０が導電部材１３０に接触することができない。これにより、入力端子２３０及び出力端子２４０が不適当な導電部材１３０に接触すること（例えば、信号用の入力端子２３０及び信号用の出力端子２４０が電源電圧供給用の導電部材１３０に接触すること）が抑制される。
【００７２】
（実施例６）
図２７は、実施例６に係る電源レール１００の構成を示す斜視図であり、実施例１の図１３に対応する。本実施例に係る電源レール１００は、以下の点を除いて、実施例１に係る電源レール１００と同様の構成である。
【００７３】
本図に示すように、電源レール１００は、電源電圧供給用の導電部材１３０、接地電位供給の導電部材１３０、及び信号供給用の導電部材１３０からなる導電部材群１３２を同一の基材１１０に複数備えている。これにより、複数の導電部材群１３２それぞれに複数の発光モジュール２００（図２及び図３）を設けることができる。言い換えると、本図に示す例では、各導電部材群１３２に沿って並んだ複数の発光モジュール２００（図２及び図３）からなる列を同一の基材１１０に複数設けることができる。
【００７４】
さらに、本図に示す例では、一の導電部材群１３２を構成する導電部材１３０と他の導電部材群１３２を構成する導電部材１３０は、配線１６０を介して互いに電気的に接続している。これにより、一の導電部材群１３２に電圧を与えることで、全ての導電部材群１３２に電圧を与えることができる。なお、配線１６０は、例えば、電源レール１００の裏面（溝１２０が形成されている面とは逆側の面）に設けられている。
【００７５】
なお、本図に示す例では、複数の導電部材群１３２のうちの一部の導電部材群１３２を構成する導電部材１３０の長さは、他の導電部材群１３２を構成する導電部材１３０の長さよりも短い。図２８を用いて後述するように、これらの短い導電部材群１３２は、一の電源レール１００を他の電源レール１００に連結するために用いられる。
【００７６】
図２８は、複数の電源レール１００を連結する方法を示す図である。本図に示す例では、一の電源レール１００に含まれる一部の導電部材群１３２を他の電源レール１００に差し込んでいる。これにより、一の電源レール１００と他の電源レール１００が連結する。この場合、一の電源レール１００に含まれるすべての導電部材群１３２を他の電源レール１００に差し込む必要がない。これにより、一の電源レール１００と他の電源レール１００を効率的に連結することができる。ただし、複数の電源レール１００を連結する方法は本図に示す例に限定されるものではない。例えば、一の電源レール１００に含まれる全ての導電部材群１３２を他の電源レール１００に差し込んでもよい。
【００７７】
なお、本図に示す例では、一の電源レール１００と他の発光モジュール２００の連結に用いられない導電部材１３０が設けられた溝１２０には、他の電源レール１００の導電部材１３０を差し込むための空隙（導電部材１３０が存在しない領域）を形成する必要がない。これにより、連結に用いられない導電部材１３０は、上記した空隙がなくなるほど長いものにすることができる。これにより、連結に用いられない導電部材１３０では、発光モジュール２００（図２及び図３）を多く取り付けることが容易となる。
【００７８】
（実施例７）
図２９は、実施例７に係る電源レール群の構成を示す平面図である。本図に示すように、電源レール群は、一直線上で連結した複数の電源レール１００を備えている。電源レール群を構成する各電源レール１００は、以下の点を除いて、実施形態に係る電源レール１００と同様の構成である。
【００７９】
本図に示すように、複数の電源レール１００は、基材１１０が等しい長さＬを有している。そして複数の電源レール１００は、両端に位置する電源レール１００を除き、導電部材１３０が等しい長さＬ２を有している。複数の電源レール１００の一端に位置する電源レール１００の導電部材１３０の長さＬ１は、その他の導電部材１３０の長さよりも短い。複数の電源レール１００の他端に位置する電源レール１００の導電部材１３０の長さＬ３は、その他の導電部材１３０の長さよりも長い。そして複数の電源レール１００の両端それぞれでは、導電部材１３０の端と基材２１０の端が揃っている。このように、複数の導電部材１３０は、複数の電源レール１００の両端からはみ出すことなく一直線上に並んでいる。なお、複数の電源レール１００の両端の電源レール１００の間に位置する電源レール１００（長さＬ２の導電部材１３０を有する電源レール１００）の数は複数の限定されるものではなく、１つのみであってもよい。
【００８０】
電源レール群の一端に位置する電源レール１００（本図に示す例では、導電部材１３０の長さがＬ１である電源レール１００）は、電源３００に接続している。この場合、溝１２０に沿って互いに離れている導電部材１３０を、図１０に示したように発光モジュール２００を介して電気的に接続することで、すべての電源レール１００に電源３００の電圧を与えることができる。
【００８１】
図３０は、導電部材１３０を溝１２０に固定する方法を説明するための図である。図２９に示した電源レール群の両端それぞれに位置する電源レール１００では、導電部材１３０を溝１２０に沿って移動させなくてもよい。このような電源レール１００では、本図に示すように導電部材１３０を溝１２０に固定してもよい。
【００８２】
本図（ａ）に示すように、導電部材１３０には穴１３４が形成されている。さらに、本図（ｂ）に示すように、基材１１０は、凹部１１６を裏面（溝１２０が形成されている面とは逆側の面）に備えている。凹部１１６には、固定部在１１２がはめ込まれる。固定部在１１２は、凸部１１４を備えている。そして本図（ａ）に示すように、凸部１１４は、固定部在１１２が凹部１１６にはめ込まれた場合、導電部材１３０の穴１３４に差し込まれる。これにより、導電部材１３０は、溝１２０に沿って移動することができないようになる。
【００８３】
以上、図面を参照して実施形態及び実施例について述べたが、これらは本発明の例示であり、上記以外の様々な構成を採用することもできる。
【符号の説明】
【００８４】
１０ 発光装置
１００ 電源レール
１１０ 基材
１１２ 固定部在
１１４ 凸部
１１６ 凹部
１２０ 溝
１２２ 凸部
１３０ 導電部材
１３２ 導電部材群
１３４ 穴
１４０ 固定導電部材
１５０ カバー部材
１５２ 穴
１６０ 配線
２００ 発光モジュール
２１０ 基材
２１２ 発光面
２１４ 裏面
２２０ 発光部
２３０ 入力端子
２４０ 出力端子
２５０ 配線
２５２ 配線
２５４ 配線
２６０ 基板
２６２ 凹部
２６４ 溝
２６６ 凹部
２７０ カバー部材
２７２ 凹部
２７４ 穴
２７６ 凸部
２８０ 有機ＥＬパネル
２８２ 端子
２８４ 駆動回路
３００ 電源
【図１】
2016081843.tif 000003
【図２】
2016081843.tif 000004
【図３】
2016081843.tif 000005
【図４】
2016081843.tif 000006
【図５】
2016081843.tif 000007
【図６】
2016081843.tif 000008
【図７】
2016081843.tif 000009
【図８】
2016081843.tif 000010
【図９】
2016081843.tif 000011
【図１０】
2016081843.tif 000012
【図１１】
2016081843.tif 000013
【図１２】
2016081843.tif 000014
【図１３】
2016081843.tif 000015
【図１４】
2016081843.tif 000016
【図１５】
2016081843.tif 000017
【図１６】
2016081843.tif 000018
【図１７】
2016081843.tif 000019
【図１８】
2016081843.tif 000020
【図１９】
2016081843.tif 000021
【図２０】
2016081843.tif 000022
【図２１】
2016081843.tif 000023
【図２２】
2016081843.tif 000024
【図２３】
2016081843.tif 000025
【図２４】
2016081843.tif 000026
【図２５】
2016081843.tif 000027
【図２６】
2016081843.tif 000028
【図２７】
2016081843.tif 000029
【図２８】
2016081843.tif 000030
【図２９】
2016081843.tif 000031
【図３０】
2016081843.tif 000032